(57)【要約】【課題】  複数の異なる属性情報が付与された番組の画像や音声の自動調整を、より適切に行うことの可能な放送受信装置を提供する。【解決手段】  番組の属性情報（例えばジャンル）に基づいて視聴する番組の表示画質や音質を自動調整する放送受信装置である。視聴する番組に複数の属性情報が付与されている場合、例えばその番組がジャンルを指定した番組検索結果から選択されたものであれば、検索に用いられたジャンルに基づいて表示画質や音質の調整を行うようにする。また、過去に視聴した番組の属性情報の統計値に基づいて選択された属性情報に基づいて表示画質や音質の調整を行っても良い。【選択図】  図３
2008153895.tif 000002
【特許請求の範囲】
【請求項１】
放送番組の属性情報に基づいて当該番組の表示画質及び／又は音質を自動調整する放送受信装置であって、
前記属性情報の種類と、対応する前記表示画質及び／又は音質の調整内容とを対応付けて記憶する設定記憶手段と、
視聴する放送番組の前記属性情報を取得する情報取得手段と、
前記情報取得手段により取得された前記属性情報のうち１つを選択する選択手段と、
前記選択手段が選択した属性情報に対応する前記調整内容を前記設定記憶手段から取得する設定取得手段と、
前記設定取得手段が取得した調整内容に従って前記視聴する放送番組の表示画質及び／又は音質を調整して出力する調整手段とを有し、
前記情報取得手段により複数の種類の前記属性情報が取得された場合、前記選択手段は、前記視聴する放送番組の検索に用いられた属性情報、過去に視聴された放送番組の前記属性情報の統計値、視聴又は録画が予約されている放送番組の前記属性情報の統計値のいずれかに基づいて前記選択を行うことを特徴とする放送受信装置。
【請求項２】
前記視聴する放送番組が、前記属性情報を用いた番組検索の結果から選択されたものである場合、前記選択手段は、前記番組検索で用いられた属性情報を前記複数の種類の前記属性情報から選択することを特徴とする請求項１記載の放送受信装置。
【請求項３】
前記視聴する放送番組が、前記属性情報を用いた番組検索の結果から選択されたものでない場合、前記選択手段は、過去に視聴された放送番組の前記属性情報の統計値と、視聴もしくは録画が予約されている放送番組の前記属性情報の統計値のいずれかに基づいて前記選択を行うことを特徴とする請求項１記載の放送受信装置。
【請求項４】
前記過去に視聴された放送番組の前記属性情報の統計値が、前記過去に視聴された放送番組の前記属性情報の種類別の頻度であり、前記選択手段が、前記視聴する放送番組の前記複数の種類の前記属性情報のうち、前記頻度が最も高い１つを選択することを特徴とする請求項１記載の放送受信装置。
【請求項５】
前記視聴又は録画が予約されている放送番組の前記属性情報の統計値が、前記視聴又は録画が予約されている放送番組の前記属性情報の種類別の頻度であり、前記選択手段が、前記視聴する放送番組の前記複数の種類の前記属性情報のうち、前記頻度が最も高い１つを選択することを特徴とする請求項１記載の放送受信装置。
【請求項６】
放送番組の属性情報に基づいて当該番組の表示画質及び／又は音質を自動調整する放送受信装置の制御方法であって、
視聴する放送番組の前記属性情報を取得する情報取得工程と、
前記情報取得工程により取得された前記属性情報のうち１つを選択する選択工程と、
前記選択工程が選択した属性情報に対応する調整内容を、前記属性情報の種類と対応する前記表示画質及び／又は音質の調整内容とを対応付けて記憶する設定記憶手段から取得する設定取得工程と、
前記設定取得工程が取得した調整内容に従って前記視聴する放送番組の表示画質及び／又は音質を調整して出力する調整工程とを有し、
前記情報取得工程により複数の種類の前記属性情報が取得された場合、前記選択工程は、前記視聴する放送番組の検索に用いられた属性情報、過去に視聴された放送番組の前記属性情報の統計値、視聴又は録画が予約されている放送番組の前記属性情報の統計値、のいずれかに基づいて前記選択を行うことを特徴とする放送受信装置の制御方法。
【発明の詳細な説明】
【技術分野】
【０００１】
本発明は、放送受信装置及びその制御方法に関し、特には表示画質や音質を放送番組に応じて自動的に調整可能な放送受信装置およびその制御方法に関する。
【背景技術】
【０００２】
特許文献１においては、電子番組表（ＥＰＧ）情報などから、視聴中の放送番組のジャンルを取得し、ジャンルに応じて表示画質を自動調整するテレビジョン受像機が提案されている。
また、音声に関しても類似した自動調整を行なうことが提案されている（特許文献２）。
【０００３】
【特許文献１】特開２００２−１５８９４１号公報
【特許文献２】特開２００１−３２６８７５号公報
【発明の開示】
【発明が解決しようとする課題】
【０００４】
上述の従来技術によれば、番組のジャンル毎に適切と思われる画質や音質の設定を対応付けて記憶し、取得した番組ジャンルに応じて自動的に画質や音質の設定を変更することで、ユーザの手間を省きながら、装置の能力を活用した視聴が可能となる。
【０００５】
例えば、音楽番組に対しては画質は低輝度、音質は低音を強調する設定に、自動調整され、バラエティ番組に対しては画質は高輝度、音質は中域を強調する設定に自動調整される。
しかしながら、番組には複数のジャンルが付与されていることがあり、このような場合に問題が生じる。
【０００６】
例えば番組情報に“音楽”と“バラエティ”の２つのジャンルが付与されている場合、いずれかのジャンルによって調整を行うことが考えられる。従来は、このような、複数の異なる属性が付与されている番組に対し、どの属性に応じた自動調整を行なうかについて考慮されておらず、せいぜいデータ構造上最初に登場する属性を選択する程度であった。
【０００７】
本発明は、このような従来技術の課題を解決することを目的としたもので、複数の異なる属性情報が付与された番組の画像や音声の自動調整を、より適切に行うことの可能な放送受信装置及びその制御方法を提供することを目的とする。
【課題を解決するための手段】
【０００８】
上述の目的を達成するため、本発明の一側面によれば、放送番組の属性情報に基づいて当番組の表示画質及び／又は音質を自動調整する放送受信装置であって、属性情報の種類と、対応する表示画質及び／又は音質の調整内容とを対応付けて記憶する設定記憶手段と、視聴する放送番組の属性情報を取得する情報取得手段と、情報取得手段により取得された属性情報のうち１つを選択する選択手段と、選択手段が選択した属性情報に対応する調整内容を設定記憶手段から取得する設定取得手段と、設定取得手段が取得した調整内容に従って視聴する放送番組の表示画質及び／又は音質を調整して出力する調整手段とを有し、情報取得手段により複数の種類の属性情報が取得された場合、選択手段は、視聴する放送番組の検索に用いられた属性情報、過去に視聴された放送番組の属性情報の統計値、視聴又は録画が予約されている放送番組の属性情報の統計値のいずれかに基づいて選択を行うことを特徴とする放送受信装置が提供される。
【０００９】
また、上述の目的を達成するため、本発明の他の側面によれば、放送番組の属性情報に基づいて当番組の表示画質及び／又は音質を自動調整する放送受信装置の制御方法であって、視聴する放送番組の属性情報を取得する情報取得工程と、情報取得工程により取得された属性情報のうち１つを選択する選択工程と、選択工程が選択した属性情報に対応する調整内容を、属性情報の種類と対応する表示画質及び／又は音質の調整内容とを対応付けて記憶する設定記憶手段から取得する設定取得工程と、設定取得工程が取得した調整内容に従って視聴する放送番組の表示画質及び／又は音質を調整して出力する調整工程とを有し、情報取得工程により複数の種類の属性情報が取得された場合、選択工程は、視聴する放送番組の検索に用いられた属性情報、過去に視聴された放送番組の属性情報の統計値、視聴又は録画が予約されている放送番組の属性情報の統計値、のいずれかに基づいて選択を行うことを特徴とする放送受信装置の制御方法が提供される。
【発明の効果】
【００１０】
このような構成により、本発明に依れば、複数の異なる属性情報が付与された番組の画像や音声の自動調整を、より適切に行うことの可能な放送受信装置及びその制御方法を提供することを目的とする。
【発明を実施するための最良の形態】
【００１１】
＜第１の実施形態＞
以下、本発明の実施形態について、添付図面を用いて具体的に説明する。
図１は、本発明の第１の実施形態に係る放送受信装置の一例としてのデジタルテレビの主要構成例を示すブロック図である。なお、本明細書において、デジタルテレビとはデジタル放送を受信し、映像及び音声を出力可能な機器を意味し、所謂テレビジョン受像機のみならず、テレビ受信機能を有する情報処理端末（パーソナルコンピュータなど）や通信機器（携帯電話など）を含む。
【００１２】
図１に示すデジタルテレビ１０において、放送波信号はアンテナ１５により受信され、チューナ２０に入力される。チューナ２０は、入力された信号に対して、復調、誤り訂正、デスクランブルなどの処理を施し、トランスポートストリーム（ＴＳ）と呼ばれる形式のデジタルデータ（ＴＳデータ）を生成する。ＴＳデータには複数チャンネル分の映像データ、音声データおよび番組情報（番組名、番組内容、開始時刻、終了時刻、ジャンル、等の項目についての情報）などが時分割多重されている。
【００１３】
ＴＳデータはパケット単位で伝送され、パケットの先頭部分には、ＰＩＤ（Packet Identification)と呼ばれるデータが付加されている。デマルチプレクサ２１は、このＰＩＤを読み取ることにより、選択されたチャンネル、即ち選択された放送番組に関する映像データ、音声データ及び番組情報の識別、分離を行う。なお、以下放送番組を単に番組という。
【００１４】
番組情報について説明する。本実施形態において、番組情報を構成するデータは、社団法人電波産業会（ＡＲＩＢ）で規定される番組配列情報（ＳＩ:Service Information）であるものとする。
【００１５】
番組配列情報に含まれる主要な情報には、
・編成チャンネルの名称、放送事業者の名称など、編成チャンネルに関する情報を伝送するＳＤＴ(Service Description Table)、
・放送番組の名称、放送日時、内容の説明など、番組に関する情報を伝送するＥＩＴ(Event Information Table)、
・現在の日付、時刻の情報を伝送するＴＤＴ(Time and Date Table)、
等がある。
さらに、ＥＩＴはコンテント記述子(content descriptor)を含んでおり、コンテント記述子は、番組のジャンルを示す値を含む。
【００１６】
デマルチプレクサ２１は、チューナ２０より入力された、複数チャンネル分の映像、音声データ、および番組情報が多重化されているＴＳデータから、指定された番組に係る映像データおよび音声データを取り出す。そして、映像データは映像デコーダ２２へ、音声データは音声デコーダ２３へそれぞれ出力する。
【００１７】
映像デコーダ２２は、デマルチプレクサ２１より入力された映像データに対してＭＰＥＧ２方式のデコード処理を施し、デコードした映像データを映像処理回路３０に出力する。
【００１８】
映像処理回路３０は、画質・音質設定部４０からの指示に基づき、入力された映像データに対して明るさ調節処理、色変換処理等の画質調整処理を行う。
映像処理回路３０の出力する映像データは、ＯＳＤ（オンスクリーンディスプレイ）処理回路３５を通じて、例えばＳＥＤパネル、ＰＤＰや液晶ディスプレイパネルなどの表示部５０に表示される。
【００１９】
音声デコーダ２３は、デマルチプレクサ２１より入力された音声データに対してＭＰＥＧ２方式のデコード処理を施し、デコードした音声データを音声処理回路３１に出力する。
【００２０】
音声処理回路３１は、画質・音質設定部４０からの指示に基づき、入力された音声データに対して低域強調処理、中域強調処理等の音質調整処理やＤ／Ａ変換等の処理を行う。音声処理回路３１の出力するアナログ音声信号は、スピーカ５５により再生される。
映像処理回路３０及び音声処理回路３１は、視聴する、もしくは視聴中の放送番組の表示画質及び／又は音質を調整する調整手段として機能する。
【００２１】
また、デマルチプレクサ２１は情報取得手段としての機能も有しており、視聴する、もしくは視聴中の番組のＴＳデータより、ジャンルを含む番組情報データであるＳＩ（Service Information）を取り出す。ＴＳデータから取り出されたＳＩは、番組情報デコーダ２５に出力される。番組情報デコーダ２５は、番組情報ＳＩを解析して番組情報データ形式に変換し、番組情報データとして番組情報記憶部２６に出力する。なお、番組情報データの形式はどのようなものであってもよい。例えば、番組単位に付与されているＰＩＤ（Program ID）をキーとし、放送時刻や番組名、番組ジャンルなどの情報を格納したテーブル形式のような構成を採用すればよい。  
【００２２】
番組情報記憶部２６は、番組情報データを記憶する。番組情報はチューナ２０により定期的に受信され、番組情報デコーダ２５を介して番組情報記憶部２６は常に最新の番組情報データを記憶する。
【００２３】
設定記憶手段としての画質・音質設定値記憶部４１には、番組情報に含まれる予め定めた属性情報（本実施形態では番組のジャンル）の種類と、画質および音質の調整内容とが対応付けられて記憶されている。画質・音質設定値記憶部４１の記憶内容は変更可能であっても良い。例えば、後述する操作部６０の操作を通じてユーザが記憶内容を変更したり、放送波信号に含まれるデータや、外部機器などから新しいデータをダウンロードしたりすることが考えられる。さらに画質・音質設定値記憶部４１は、デジタルテレビ１０が通信可能であればその存在位置は限定されない。例えばデジタルテレビ１０がコンピュータネットワークを利用した通信が可能である場合には、インターネットやＬＡＮなどのネットワークに接続されていても良い。
【００２４】
図２は、画質・音質設定値記憶部４１に記憶される設定値の例を示す図である。
本実施形態において、画質設定用のパラメータは輝度、コントラスト及び彩度であり、音質設定用のパラメータは低域、中域、高域であるとする。また、各パラメータは１〜５の整数値をとり、３が標準を、４は３より高め（大きめ）を、５は４より高め（大きめ）を意味するものとする。また、２は３より低め（小さめ）、１は２より低め（小さめ）を意味するものとする。
【００２５】
図２に示すように、本実施形態における画質調整内容は、
ジャンル      画質調整内容      
ニュース：    標準のまま（調整無し）
スポーツ：    全体的に高め
ドラマ：      全体的に低め
音楽：        輝度を低め、彩度を高める
バラエティ：  全体的にやや高め
映画：        全体的に低め
教養：        標準のまま（調整無し）
となる値を記憶している。
【００２６】
また、音質調整内容は、
ジャンル      音質調整内容      
ニュース：    中域を高め、低域を低める（音声を高める）
スポーツ：    標準のまま（調整無し）
ドラマ：      低域を低める
音楽：        低域、高域を高め、中域を低める
バラエティ：  低域を低める
映画：        低域を高める
教養：        低域を低める
となる値を記憶している。
【００２７】
なお、調整の段階数やパラメータの種類については特に制限はない。例えば、より細かいレベルでの調整を行っても良いし、音域の周波数帯を細分化してもよい。また、ニュース、スポーツ、教養の各ジャンルの調整内容として示すように、画質、音質の両方を調整する必要はなく、いずれか一方のみ調整してもよい。
【００２８】
設定取得手段としての画質・音質設定部４０は、ジャンル決定部４７で決定されたジャンルに対応する設定内容を画質・音質設定値記憶部４１から読み出し、映像処理回路３０および音声処理回路３１に対して、読み出した値に対応する処理指示を行なう。
【００２９】
番組検索処理部４５は、番組情報記憶部２６に記憶されている番組の中から、ユーザの入力するジャンルに対応するジャンル属性値を有する番組を検索する処理を行なう。
検索ジャンル記憶部４６は、番組検索処理部４５が視聴中の番組の検索に用いた番組の属性情報の一例として、検索キーとして用いられたジャンルの種類を記憶する。
【００３０】
選択手段としてのジャンル決定部４７は、視聴する、もしくは視聴中の放送番組の番組情報に含まれる予め定めた属性情報（本実施形態ではジャンル）の種類から、放送番組の表示画質及び／又は音質の調整に用いる１つジャンルを決定する。そしてジャンル決定部４７は、決定したジャンルを画質・音質設定部４０に通知する。本実施形態において、ジャンル決定部４７は、番組検索処理部４５からの通知に従って、検索ジャンル記憶部４６に記憶されたジャンルの種類を読み出し、画質・音質設定部４０に通知する。
【００３１】
ＯＳＤ処理回路３５は、視聴中のチャンネル、番組タイトル、時刻を始め、各種設定メニューや番組検索画面、ＥＰＧ（電子番組表）、カーソルなどを、表示中の映像に重畳し、表示部５０で表示させる。
【００３２】
操作部６０は、ユーザからの指示を制御部６５に通知する。操作部６０はデジタルテレビ１０の本体に取り付けられたスイッチ及びリモコン信号受信部や、リモコン等から構成されている。
【００３３】
制御部６５は例えばマイクロコンピュータで構成され、例えば不揮発性メモリであるプログラムメモリ６２に記憶された制御プログラムを読み出して実行することにより、デジタルテレビ１０の各構成要素の制御を行う。
【００３４】
なお、図１に示す機能ブロックのうち、チューナ２０、表示部５０、スピーカ５５及び操作部６０を除く機能ブロックの一部又は全部は、ソフトウェア的に実現することが可能である。その場合、ソフトウェア的に実現される機能ブロックの動作主体は制御部６５となる。
【００３５】
以上の構成を有する本実施形態のデジタルテレビ１０の番組検索処理動作を、図３に示すフローチャートを用いて説明する。
まず、ユーザが操作部６０に含まれる番組検索キーを押下したり、メニュー画面から番組検索を選択して決定キーを押下したりすることにより、番組検索指示が制御部６５に入力されると、図３に示すフローチャートの処理が開始される。
【００３６】
この時、５チャンネルが放送中であり、各チャンネルの番組名およびジャンルは、図４に示すものであるとする。従って、番組情報記憶部２６にもこれらの番組情報が記憶されている。ここで、チャンネル２で放送中の番組“話題の人物”は、“バラエティ”と“音楽”の２種類のジャンルが付与されている。
【００３７】
ステップＳ１００：検索画面の表示
制御部６５は、番組検索処理部４５に対し、検索処理開始の指示を行なう。
番組検索処理部４５は、制御部６５からの指示に応答して、検索キーとして用いる属性情報の種類を選択する画面を表示するようにＯＳＤ処理回路３５へ依頼する。ここでは、検索キーとしてジャンルの種類を用いるものとし、従って属性情報の選択画面はジャンル選択画面となる。ＯＳＤ処理回路３５は番組検索処理部４５からの依頼に応答してジャンル選択画面を表示中の映像に重畳させ、表示部５０に表示させる。
【００３８】
本実施形態におけるジャンル選択画面の例を図５に示す。図５において、カーソル３００は、現在選択されているジャンルを表している。
【００３９】
ステップＳ１１０：検索ジャンルの入力待ち
ユーザが、操作部６０に含まれる上方向キー、下方向キーを操作すると、その操作は、制御部６５及び番組検索処理部４５を通じてＯＳＤ処理回路３５へ通知される。ＯＳＤ処理回路３５は通知された操作に応答して、重畳表示の内容を更新する。具体的には、方向キーの操作に応答してカーソル３００の表示位置を変更する。
【００４０】
ステップＳ１２０：選択されたジャンルを記憶
ジャンル選択画面を表示中に操作部６０から決定／実行指示又は同等の指示が入力されると、その指示は制御部６５及び番組検索処理部４５を通じてＯＳＤ処理回路３５へ通知される。ＯＳＤ処理回路３５は、その時点で選択されていたジャンルの種類を番組検索処理部４５へ通知する。番組検索処理部４５は、ＯＳＤ処理回路３５から通知されたジャンルの種類を検索ジャンル記憶部４６へ記憶する。
ここでは、ジャンル“音楽”が検索キーとして選択されたものとする。従って、検索ジャンル記憶部４６にもジャンル“音楽”を表す値が記憶される。
【００４１】
ステップＳ１３０：番組検索
番組検索処理部４５は、番組情報記憶部２６に記憶されている番組（すなわち図２に示す番組）の中から、通知された種類のジャンルが割り当てられている番組を検索する。
ここでは、ジャンル“音楽”がユーザによって選択されたので、ジャンル“音楽”が割り当てられている“デジタル劇場”と“話題の人物”が検索される。
【００４２】
ステップＳ１４０：検索結果を表示
番組検索処理部４５は、検索結果画面を生成し、ＯＳＤ処理回路３５を通じて表示部５０に表示する。本実施形態において番組検索処理部４５は、検索結果として番組名を表示し、ユーザに視聴する番組の入力を促す検索結果画面を生成する。
検索結果画面の表示例を図６に示す。
【００４３】
ステップＳ１５０：視聴する番組の入力待ち
検索ジャンルの入力待ちと同様、操作部６０の操作に応じて、表示部５０に表示されている検索結果画面上のカーソルを移動させる。また、検索結果画面を表示中に操作部６０から決定／実行指示又はそれと同等の指示が入力されると、その指示は制御部６５及び番組検索処理部４５を通じてＯＳＤ処理回路３５へ通知される。ＯＳＤ処理回路３５は、その時点で選択されていた番組を番組検索処理部４５へ通知する。
ここでは、ユーザが“話題の人物”を選択したものとする。
【００４４】
ステップＳ１６０：番組選局・表示
番組検索処理部４５は、ユーザの選択した番組を制御部６５に通知する。制御部６５は、チューナ２０を始めとするデジタルテレビ１０内の各部に対して必要な制御を行い、通知された番組、すなわち“話題の人物”、に対応するチャンネルを選局し、表示部５０に表示させる。
【００４５】
ステップＳ１７０：入力されたジャンルに対する設定を行なう
番組検索処理部４５は、自動調整に用いるジャンルの種類の決定及び画質・音質設定部４０への通知を行なうよう、ジャンル決定部４７に通知する。
ジャンル決定部４７は、検索ジャンル記憶部４６内のジャンルを画質・音質設定部４０に通知する。
【００４６】
ここで、検索ジャンル記憶部４６内のジャンル“音楽”は、ユーザが選択した番組、“話題の人物”の番組情報に含まれる２種類のジャンルの１つである。従って、検索キーとして指定されたジャンルを検索ジャンル記憶部４６へ記憶することは、番組に割り当てられた複数種の属性の一つを抽出する動作であると言うこともできる。
【００４７】
画質・音質設定部４０は、ジャンル“音楽”に対応する設定値を、画質・音質設定値記憶部４１から読み出し、映像処理回路３０および音声処理回路３１に対し、読み出した設定値を与える。
【００４８】
映像処理回路３０は、画質・音質設定部４０から与えられた設定値に基づき、明るさ調節処理、色変換処理、等の信号処理を行う。
音声処理回路３１もまた、画質・音質設定部４０から与えられた指示に基づき、低域強調処理、中域強調処理、等の信号処理を行う。
【００４９】
この結果、
画質：輝度を低め、彩度を高める
音質：低域、高域を高め、中域を低める
という、音楽番組に適した表示画質及び音質に調整される。
【００５０】
なお、図３に示すフローチャートにおけるステップＳ１１０、Ｓ１５０において、ユーザが予め定められたキャンセル操作を行なった場合、制御部６５は通常の番組視聴状態に戻るようにデジタルテレビ１０各部を制御する。
【００５１】
このように、本実施形態のデジタルテレビ１０は、視聴する番組がその属性情報を用いた検索結果に基づいて選択された場合には、検索に用いられた属性値に対応した画質・音質設定を行う。例えば、ジャンル“音楽”を用いて検索を行ったユーザは、音楽番組の視聴を意図していると考えられる。そのため、同一番組に他の種類のジャンル（例えば“バラエティ”）が割り当てられていたとしても、“音楽”番組として画質・音質調整を行うことがユーザの意図にあった画質・音質調整を行うことになるであろう。
【００５２】
従って、同一番組であってもジャンル“バラエティ”が検索に使用されていた場合には、バラエティ番組として画質・音質調整を行う。
【００５３】
本実施形態によれば、ユーザは、属性の種類による検索（絞り込み）を実行した後に検索結果から視聴番組の選択を行うという従来の操作により、意図に即した画質・音質調整がなされた映像、音声を楽しむことができる。この際、ユーザは、視聴番組にいくつの属性が割り当てられているかどうかを意識する必要がない。
【００５４】
＜第２の実施形態＞
図７は、本発明の第２の実施形態に係る放送受信装置の一例としてのデジタルテレビ１１の主要構成例を示すブロック図である。第１の実施形態と同一の構成については同一の参照数字を付し、重複する説明は省略する。
【００５５】
図１と図７との比較から明らかなように、本実施形態のデジタルテレビ１１は、検索ジャンル記憶部４６に加え、検索履歴記憶部７０を有する。
検索履歴記憶部７０は、番組が番組検索結果から選択されて視聴に至った場合、検索に用いられた属性情報の統計値の一例として、属性情報の種類別の使用頻度を記憶する。
【００５６】
図８は、検索履歴記憶部７０の記憶内容の例を示す図である。図８の例は、第１の実施形態と同様、ジャンル属性、即ちジャンルの種類を用いた番組検索についての履歴を記憶した状態を示している。
【００５７】
図８に示す例は、過去に
ジャンル“音楽”で検索し、検索結果から視聴した回数が５回、
ジャンル“バラエティ”で検索し、検索結果から視聴した回数が３回、
ジャンル“スポーツ”で検索し、検索結果から視聴した回数が１回、
であることを示している。
【００５８】
本実施形態のデジタルテレビ１１は、番組検索処理結果から視聴に至った場合には、第１の実施形態と同様、検索に用いられた属性（例えばジャンル）の種類に基づいて画質・音質調整を行う。
【００５９】
さらに、番組検索を経ないで視聴選択された番組の番組情報の属性が複数ある場合には、検索履歴記憶部７０の記憶内容を用いて決定した属性に基づいて画質・音声調整を行う。
【００６０】
本実施形態のデジタルテレビ１１の番組検索処理動作を、図９に示すフローチャートを用いて説明する。第１の実施形態（図３）と異なるのは、
・新たにステップＳ１８０として、履歴記憶処理が追加された点
である。
【００６１】
具体的には、ステップＳ１８０において、番組検索処理部４５は、検索に使用されたジャンルの種類別の頻度を＋１する動作を行なう。本動作により、図８に示すような履歴が検索履歴記憶部７０に記憶される。
【００６２】
それ以外の動作は第１の実施形態と同様であるため、ステップＳ１７０で番組に適した設定に自動的に調整することが可能である。従って、本実施形態でも、ユーザは、属性の種類による検索（絞り込み）→視聴番組の選択という従来の操作により、視聴番組に他の属性が割り当てられているかどうかを意識する必要なく、意図に即した画質・音質調整がなされた映像、音声を楽しむことができる。
【００６３】
なお、ステップＳ１２０においては、番組検索処理部４５が、検索ジャンル記憶部４６の代りに、例えば検索履歴記憶部７０の所定領域に、検索キーとして指定されたジャンルを記憶してもよい。この場合、検索ジャンル記憶部４６は不要となる。
【００６４】
（番組検索を経ない選局処理動作）
次に、本実施形態のデジタルテレビ１１において、番組検索を経ない選局操作に対する処理動作について、図１０に示すフローチャートを用いて説明する。
【００６５】
番組検索を経ない選局操作とは、最も一般的な選局操作であり、
・操作部６０のボタン、典型的には数字ボタンの押下に応答して、押下されたボタンと対応付けられたチャンネルを直接選局するダイレクト選局、
・操作部６０のボタン、典型的には選局ボタンの押下に応答して、現在視聴中のチャンネルの前後のチャンネルを選局するアップ・ダウン選局
等を意味する。
【００６６】
これらの操作により、ユーザが選局を行うと、図１０に示すフローチャートの処理が開始される。なお、ここでも、第１の実施形態と同様、図４に示す番組が放送されているものとする。
【００６７】
・ステップＳ２００：番組選局・表示
制御部６５は、操作部６０で押下されたボタンの種別から、選局すべきチャンネルを決定し、チューナ２０を始めとするデジタルテレビ１０内の各部に対して必要な制御を行い、ユーザが指定したチャンネルの番組を表示部５０に表示させる。
ここでは、２チャンネルが指定されたものとする。これにより、番組“話題の人物”に係る映像及び音声が表示部５０及びスピーカ５５からそれぞれ出力される。
【００６８】
・ステップＳ２１０：番組のジャンルを取得
制御部６５は、選局したチャンネルの現在の番組（視聴番組）のジャンルを、番組情報記憶部２６から取得する。その結果、予め定めた属性情報として“バラエティ”と“音楽”の２種類のジャンルが取得される。
【００６９】
・ステップＳ２２０：ジャンルが複数種類であるか判定
制御部６５は、番組情報記憶部２６から取得したジャンルの種類を判定し、一つであればステップＳ２３０へ、複数であればステップＳ２４０へ移行する。
ここでは複数種類のジャンルが取得されているため、処理はステップＳ２４０へ移行する。
【００７０】
・ステップＳ２３０：取得したジャンルに対する設定を行なう
制御部６５は、取得したジャンルを画質・音質設定部４０に通知する。そして、図３のステップＳ１７０と同様な動作を行い、画質、音質の調整を行なう。
【００７１】
・ステップＳ２４０：調整に使用するジャンルを履歴に基づき決定
制御部６５は、ステップＳ２１０で取得した複数のジャンルを、ジャンル決定部４７に通知する。ここでは、ジャンル“バラエティ”と“音楽”が通知される。
これに応答して、ジャンル決定部４７は、検索履歴記憶部７０から検索履歴を読み出し、通知された複数のジャンルの中で、過去の視聴回数が最も多いジャンルの種類を判定する。
【００７２】
ここでは、通知された“バラエティ”と“音楽”のジャンルに対して、検索履歴記憶部７０においては、“バラエティ”の視聴回数は３、“音楽”の視聴回数は５、である。従って、ジャンル決定部４７は、“音楽”を調整に用いるジャンルと決定する。
【００７３】
・ステップＳ２５０：決定したジャンルに対する設定を行なう。
ジャンル決定部４７は、決定したジャンル、すなわち“音楽”を画質・音質設定部４０に通知する。そして、図３のステップＳ１７０と同様な動作を行い、音楽番組に適した設定に調整を行なう。
【００７４】
以上の動作により、本実施形態によれば、視聴番組に予め定めた属性情報が複数の種類割り当てられている場合であっても、番組検索を経て視聴番組が選択された場合には、第１の実施形態と同様の効果が得られる。さらに、本実施形態によれば、番組検索を経ない選局（ダイレクト選局、アップ・ダウン選局等）についても、過去視聴された放送番組の属性情報（例えばジャンル）の統計値に基づいて、調整に用いる属性情報の種類（例えばジャンルの種類）を決定する。従って、やはりユーザの意向に沿った可能性の高い視聴設定を自動的に提供することが可能となる。
【００７５】
なお、本実施形態においては、検索履歴記憶部７０の記憶内容を、番組検索処理を経て視聴番組が選択される毎に更新するものとしたが、他の条件で更新するようにしても良い。例えば、ある番組の視聴を開始して、一定時間（例えば１０分間）視聴を続けた場合に、視聴中の番組のジャンルに対応する検索履歴記憶部７０の履歴値を＋１する動作を行なってもよい。このようにしても、ユーザがどのジャンルの番組を多く視聴したかという履歴を記憶することが可能であるので、検索履歴記憶部７０を利用することで上述したような効果を得ることが可能である。
【００７６】
このように、本実施形態は、自動画質・音質調整に用いるジャンルを、過去に視聴された番組の属性情報の統計値に基づいて決定する実施形態であると言うことができる。
【００７７】
＜第３の実施形態＞
図１１は、本発明の第３の実施形態に係る放送受信装置の一例としてのデジタルテレビ１２の主要構成例を示すブロック図である。第１又は第２の実施形態と同一の構成については同一の参照数字を付し、重複する説明は省略する。
【００７８】
図１と図１１との比較から明らかなように、本実施形態のデジタルテレビ１１は、番組検索処理部４５に代り、ＥＰＧ処理部８０を、検索ジャンル記憶部４６に代わって予約番組情報記憶部８５を有する。
【００７９】
ＥＰＧ処理部８０は、番組情報記憶部２６に記憶された番組情報、具体的にはＥＩＴに含まれる情報に従ってＥＰＧ画面を生成し、ＯＳＤ処理回路３５を通じて表示部５０へ表示させる。
【００８０】
予約番組情報記憶部８５は、視聴予約および録画予約された番組に関する情報（予約番組情報）を記憶する。予約番組情報としては、例えば放送日時、放送開始／終了時刻、予約タイプ、チャンネル番号(ch)、番組名、等を記憶する。
【００８１】
さらに、本実施形態のデジタルテレビ１２では、周知のデジタルテレビのように、ＥＰＧ画面から、選局、視聴予約、録画予約を行うことが可能である。このようなＥＰＧ画面を利用した操作を実現する機構は本発明と直接関係が無く、かつ公知であるため、その詳細については説明を省略する。
【００８２】
予約番組情報記憶部８５に記憶される予約番組情報の一例を図１２に示す。図１２の例では、予約番組情報として、日時や番組名の他に、予約番組に割り当てられた属性情報の一例としてのジャンルも記憶している。
【００８３】
次に、本実施形態のデジタルテレビ１２において、番組検索を経ない選局操作に対する処理動作について、図１３に示すフローチャートを用いて説明する。
【００８４】
図１３において、第２の実施形態と同様の処理を行なうステップには同じ番号を付し、説明を省略する。本実施形態では、調整に使用するジャンルを決定するステップＳ３４０の動作が異なるので、ステップＳ３４０の動作を説明する。
【００８５】
・ステップＳ３４０：調整に使用するジャンルを予約番組情報に基づいて決定
制御部６５は、ステップＳ２１０で取得したジャンルを、ジャンル決定部４７に通知する。ここでは、第２の実施形態と同様、“バラエティ”と“音楽”の２種類のジャンルが通知されるものとする。
【００８６】
これに応答して、ジャンル決定部４７は、予約番組情報記憶部８５から予約番組情報を読み出し、予約番組に割り当てられているジャンルを集計する。そして、ジャンル決定部４７は、制御部６５から通知された、視聴中の番組に割り当てられた複数のジャンルのうち、予約番組情報から集計された数が最も多いジャンルを、自動調整に使用するジャンルに決定する。ジャンル決定部４７は、決定したジャンルを画質・音質設定部４０へ通知する。このように、ジャンル決定部４７は、視聴又は録画が予約されている放送番組の属性情報の統計値としてのジャンルの集計結果に基づき、表示画質及び／又は音質調整に用いる属性情報の種類を決定する。
【００８７】
ステップＳ２１０で取得したジャンルが、第２の実施形態と同様に“バラエティ”と“音楽”であったとする。この場合、予約番組情報から集計される“バラエティ”の予約数（出現回数）は２、“音楽”の予約数は３であるため、ジャンル決定部４７はジャンル“音楽”を自動調整に使用するジャンルと決定する。
【００８８】
そして、ステップＳ２５０において、画質・音質設定部４０は、ジャンル”音楽”に対応付けられた画質・音質設定を映像処理回路３０及び音声処理回路３１へ指示する。
【００８９】
本実施形態によれば、ユーザが多く予約している番組のジャンル、換言すればユーザがよく視聴する設定を考慮して自動的に画質や音質の調整を行う。そのため、ユーザにとって好ましいであろう画質及び音質の調整を、ユーザが意識することなく実行することができる。
【００９０】
＜他の実施形態＞
上述の実施形態においては、複数のジャンルが割り当てられた番組の画質や音質を自動調整する際、番組検索に使用されたジャンルや予約番組のジャンルもしくはそれらの履歴や頻度を考慮して選択したジャンルに基づいて自動調整を行う例を説明した。
【００９１】
しかし、他の条件に基づいて自動調整に用いるジャンルを決定しても良い。
例えば、“バラエティ”と“音楽”の二つのジャンルを有する“話題の人物”を視聴する場合、ユーザが選局した時間が19:00〜21:00の場合は、“バラエティ”で、22:30〜23:30の場合は、“音楽”、に適した設定に調整してよい。
【００９２】
この場合、ゴールデンタイムと呼ばれる20:00前後はバラエティ番組を、23:00前後は音楽番組を見る、といったユーザの多くの視聴スタイルに適した設定に自動的に調整することが可能となる。
【００９３】
このように、時間帯毎に予めジャンルを定めておき、選局された時間に対応するジャンルを用いて自動調整してもよい。また、上述した履歴や頻度を考慮したジャンルの決定と組み合わせることも可能である。例えば、第２の実施形態において、選局された時間帯に対応するジャンルに対応する履歴の回数を＋１する等の組み合わせが考えられる。また、選局時間帯に対応したジャンルが無い時間帯には上述の実施形態で説明した方法を用い、時間帯に対応したジャンルがある場合にはそれを優先する等の適用も可能であろう。
【００９４】
上述の実施形態において、例えば放送番組の属性情報の取得など、番組を実際に視聴しているタイミング以外に実行可能な処理については、視聴中以外のタイミングで実施しても良い。具体的には、例えば放送開始時刻よりも前に行うことができる。従って、実施形態において視聴中に行うと記載された処理のタイミングは、必ずしも視聴中に限定されない点に留意されたい。
【００９５】
上述の実施形態は、システム或は装置のコンピュータ（或いはＣＰＵ、ＭＰＵ等）によりソフトウェア的に実現することも可能である。
【００９６】
従って、上述の実施形態をコンピュータで実現するために、該コンピュータに供給されるコンピュータプログラム自体も本発明を実現するものである。つまり、上述の実施形態の機能を実現するためのコンピュータプログラム自体も本発明の一つである。
【００９７】
なお、上述の実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。
【００９８】
上述の実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【００９９】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。
【０１００】
そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。
【０１０１】
つまり、上述の実施形態を実現するためのプログラムファイルをクライアントコンピュータに提供するサーバ装置も本発明の一つである。
【０１０２】
また、上述の実施形態を実現するためのコンピュータプログラムを暗号化して格納した記憶媒体を配布し、所定の条件を満たしたユーザに、暗号化を解く鍵情報を供給し、ユーザの有するコンピュータへのインストールを許可してもよい。鍵情報は、例えばインターネットを介してホームページからダウンロードさせることによって供給することができる。
【０１０３】
また、上述の実施形態を実現するためのコンピュータプログラムは、すでにコンピュータ上で稼働するＯＳの機能を利用するものであってもよい。
【０１０４】
さらに、上述の実施形態を実現するためのコンピュータプログラムは、その一部をコンピュータに装着される拡張ボード等のファームウェアで構成してもよいし、拡張ボード等が備えるＣＰＵで実行するようにしてもよい。
【図面の簡単な説明】
【０１０５】
【図１】本発明の第１の実施形態に係る放送受信装置の一例としてのデジタルテレビの主要構成例を示すブロック図である。
【図２】画質・音質設定値記憶部４１に記憶される設定値の例を示す図である。
【図３】第１の実施形態に係るデジタルテレビの番組検索処理動作を説明するためのフローチャートである。
【図４】放送中の番組の例を示す図である。
【図５】第１の実施形態に係るデジタルテレビにおけるジャンル選択画面の表示例を示す図である。
【図６】第１の実施形態に係るデジタルテレビにおける検索結果画面の表示例を示す図である。
【図７】本発明の第２の実施形態に係る放送受信装置の一例としてのデジタルテレビの主要構成例を示すブロック図である。
【図８】検索履歴記憶部７０に記憶される設定値の例を示す図である。
【図９】第２の実施形態に係るデジタルテレビの番組検索処理動作を説明するためのフローチャートである。
【図１０】第２の実施形態に係るデジタルテレビにおける、番組検索を経ない選局操作に対する処理動作について説明するためのフローチャートである。
【図１１】本発明の第３の実施形態に係る放送受信装置の一例としてのデジタルテレビの主要構成例を示すブロック図である。
【図１２】予約番組記憶部８５に記憶される予約番組情報の例を示す図である。
【図１３】第３の実施形態に係るデジタルテレビにおける、番組検索を経ない選局操作に対する処理動作について説明するためのフローチャートである。
【図１】
2008153895.tif 000003
【図２】
2008153895.tif 000004
【図３】
2008153895.tif 000005
【図４】
2008153895.tif 000006
【図５】
2008153895.tif 000007
【図６】
2008153895.tif 000008
【図７】
2008153895.tif 000009
【図８】
2008153895.tif 000010
【図９】
2008153895.tif 000011
【図１０】
2008153895.tif 000012
【図１１】
2008153895.tif 000013
【図１２】
2008153895.tif 000014
【図１３】
2008153895.tif 000015
【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
放送番組の属性情報に基づいて当該番組の表示画質及び／又は音質を自動調整する放送受信装置であって、
複数の前記属性情報の各々に対して、表示画質及び／又は音質の調整内容を対応付けて記憶する設定記憶手段と、
視聴する放送番組の属性情報を取得する情報取得手段と、
前記情報取得手段により取得された前記属性情報に対応する前記調整内容を前記設定記憶手段から取得する設定取得手段と、
前記設定取得手段が取得した調整内容に従って前記視聴する放送番組の表示画質及び／又は音質を調整して出力する調整手段とを有し、
前記情報取得手段により複数の種類の属性情報が取得された場合、前記設定取得手段は、前記視聴する放送番組の検索に用いられた属性情報、過去に視聴された放送番組の属性情報から生成された属性情報の統計値、視聴又は録画が予約されている放送番組の属性情報から生成された属性情報の統計値、のいずれかに基づいて、前記複数の種類の属性情報のうち１つを選択し、選択された属性情報に対応する前記調整内容を取得することを特徴とする放送受信装置。
【請求項２】
前記視聴する放送番組が、属性情報を用いた番組検索の結果から選択されたものである場合、前記設定取得手段は、前記番組検索で用いられた属性情報を前記複数の種類の属性情報から選択することを特徴とする請求項１記載の放送受信装置。
【請求項３】
前記視聴する放送番組が、属性情報を用いた番組検索の結果から選択されたものでない場合、前記設定取得手段は、過去に視聴された放送番組の属性情報から生成された属性情報の前記統計値又は、視聴もしくは録画が予約されている放送番組の属性情報から生成された属性情報の前記統計値のいずれかに基づいて、前記複数の種類の属性情報のうち１つを選択することを特徴とする請求項１記載の放送受信装置。
【請求項４】
過去に視聴された放送番組の属性情報から生成された属性情報の前記統計値は、前記過去に視聴された放送番組の属性情報の種類別の頻度であり、
前記設定取得手段は、前記視聴する放送番組の前記複数の種類の属性情報のうち、前記頻度が最も高い１つの属性情報を選択することを特徴とする請求項１記載の放送受信装置。
【請求項５】
視聴又は録画が予約されている放送番組の属性情報から生成された属性情報の前記統計値は、前記視聴又は録画が予約されている放送番組の属性情報の種類別の頻度であり、
前記設定取得手段は、前記視聴する放送番組の前記複数の種類の属性情報のうち、前記頻度が最も高い１つの属性情報を選択することを特徴とする請求項１記載の放送受信装置。
【請求項６】
放送番組の属性情報に基づいて当該番組の表示画質及び／又は音質を自動調整する放送受信装置の制御方法であって、
視聴する放送番組の属性情報を取得する情報取得工程と、
前記情報取得工程により取得された前記属性情報に対応する調整内容を、複数の前記属性情報の各々に対して、表示画質及び／又は音質の調整内容を対応付けて記憶する設定記憶部から取得する設定取得工程と、
前記設定取得工程が取得した調整内容に従って前記視聴する放送番組の表示画質及び／又は音質を調整して出力する調整工程とを有し、
前記情報取得工程により複数の種類の属性情報が取得された場合、前記設定取得工程は、前記視聴する放送番組の検索に用いられた属性情報、過去に視聴された放送番組の属性情報から生成された属性情報の統計値、視聴又は録画が予約されている放送番組の属性情報から生成された属性情報の統計値、のいずれかに基づいて、前記複数の種類の属性情報のうち１つを選択し、選択された属性情報に対応する前記調整内容を取得することを特徴とする放送受信装置の制御方法。
【手続補正２】
【補正対象書類名】明細書
【補正対象項目名】０００８
【補正方法】変更
【補正の内容】
【０００８】
上述の目的を達成するため、本発明の一側面によれば、放送番組の属性情報に基づいて当番組の表示画質及び／又は音質を自動調整する放送受信装置であって、複数の属性情報の各々に対して、表示画質及び／又は音質の調整内容を対応付けて記憶する設定記憶手段と、視聴する放送番組の属性情報を取得する情報取得手段と、情報取得手段により取得された属性情報に対応する調整内容を設定記憶手段から取得する設定取得手段と、設定取得手段が取得した調整内容に従って視聴する放送番組の表示画質及び／又は音質を調整して出力する調整手段とを有し、情報取得手段により複数の種類の属性情報が取得された場合、設定取得手段は、視聴する放送番組の検索に用いられた属性情報、過去に視聴された放送番組の属性情報から生成された属性情報の統計値、視聴又は録画が予約されている放送番組の属性情報から生成された属性情報の統計値、のいずれかに基づいて、複数の種類の属性情報のうち１つを選択し、選択された属性情報に対応する調整内容を取得することを特徴とする放送受信装置が提供される。
【手続補正３】
【補正対象書類名】明細書
【補正対象項目名】０００９
【補正方法】変更
【補正の内容】
【０００９】
また、上述の目的を達成するため、本発明の他の側面によれば、放送番組の属性情報に基づいて当番組の表示画質及び／又は音質を自動調整する放送受信装置の制御方法であって、視聴する放送番組の属性情報を取得する情報取得工程と、情報取得工程により取得された属性情報に対応する調整内容を、複数の属性情報の各々に対して、表示画質及び／又は音質の調整内容を対応付けて記憶する設定記憶部から取得する設定取得工程と、設定取得工程が取得した調整内容に従って視聴する放送番組の表示画質及び／又は音質を調整して出力する調整工程とを有し、情報取得工程により複数の種類の属性情報が取得された場合、設定取得工程は、視聴する放送番組の検索に用いられた属性情報、過去に視聴された放送番組の属性情報から生成された属性情報の統計値、視聴又は録画が予約されている放送番組の属性情報から生成された属性情報の統計値、のいずれかに基づいて、複数の種類の属性情報のうち１つを選択し、選択された属性情報に対応する調整内容を取得することを特徴とする放送受信装置の制御方法が提供される。